(57)【要約】モバイルデバイス又は他のクライアントデバイスを使用して、電子署名サービスを経由した、署名者によって開始される電子文書署名のための技術が記載されている。例示の実施形態は文書及び対応する電子署名の作成、保存、管理を容易にするように構成された、電子署名サービス（「ＥＳＳ」）をもたらす。ある実施形態では、署名者ユーザがハードコピー（例えば、紙）の署名文書を受領すると、該署名者はモバイルデバイスのカメラで署名文書の画像をキャプチャうる。そして、署名者は別の関係者への署名、保存及び／又は転送を目的として、キャプチャ画像をＥＳＳにインポートできる。【選択図】図１
2014535216.tif 000002
【特許請求の範囲】
【請求項１】
署名者によって操作されるとともに、カメラと通信可能に連結されたクライアントデバイス上で電子署名を支援するための方法であって、
前記クライアントデバイスによって、
前記カメラで署名文書の画像をキャプチャするステップと、
遠隔電子署名サービスで前記署名文書のキャプチャ画像を電子署名文書として保存させるステップと、
前記遠隔電子署名サービスで前記保存された電子署名文書に関連付けて前記署名者の電子署名を保存させるステップとを、含むことを特徴とする方法。
【請求項２】
前記署名文書の画像をキャプチャするステップは、前記カメラから画像データを受け取り、前記画像データが前記署名文書の少なくとも１ページに表示することを含むことを特徴とする請求項１に記載の方法。
【請求項３】
前記署名者によるレビューのために、前記クライアントデバイスのディスプレイに前記キャプチャ画像を表示することをさらに含むことを特徴とする請求項１に記載の方法。
【請求項４】
前記キャプチャ画像は前記署名文書の１ページ目の画像であり、
前記署名文書の２ページ目を表示する画像をキャプチャするステップと、
前記電子署名サービスで前記署名文書の２ページ目を表示する前記キャプチャ画像を前記電子署名文書の一部として保存させるステップと、をさらに含むことを特徴とする請求項１に記載の方法。
【請求項５】
前記署名者の電子署名を前記電子署名文書に関連付けて保存させるステップは、
前記署名者から署名データを受領すること、及び、
前記電子署名サービスによって、前記署名データを前記電子署名文書と共に保存させることを含むことを特徴とする請求項１に記載の方法。
【請求項６】
前記電子署名サービスによって前記署名データを保存させることは、前記署名データを前記キャプチャ画像と共に前記電子署名サービスへ転送することを含むことを特徴とする請求項５に記載の方法。
【請求項７】
前記電子署名サービスによって前記署名データを保存させることは、
前記電子署名サービスから前記電子署名文書の画像を受領すること、
前記ユーザがレビューするために前記画像を表示すること、
前記ユーザが前記画像をレビューした後、前記署名データを受領すること、及び、
前記署名データを前記電子署名サービスへ転送することを含むことを特徴とする請求項５に記載の方法。
【請求項８】
前記遠隔電子署名サービスに対して、前記保存された電子署名文書へのアクセスを提供させるステップをさらに含むことを特徴とする請求項１に記載の方法。
【請求項９】
前記遠隔電子署名サービスに対して、前記保存された電子署名文書へのアクセスを提供させるステップは、前記電子署名サービスに対して、前記電子署名文書のコピーを含むメッセージを受領者に転送させることを含むことを特徴とする請求項８に記載の方法。
【請求項１０】
前記遠隔電子署名サービスに対して、前記保存された電子署名文書へのアクセスを提供させるステップは、前記電子署名サービスに対して、前記電子署名文書及び／又は前記署名者の前記関連付けられた電子署名を受領者が閲覧することに使用可能なリンクを含むメッセージを受領者に転送させることを含むことを特徴とする請求項８に記載の方法。
【請求項１１】
前記署名文書の画像をキャプチャするステップは、紙文書の画像をキャプチャすることを含むことを特徴とする請求項１に記載の方法。
【請求項１２】
前記遠隔電子署名サービスで保存された前記電子署名文書にアクセスすること、及び、前記署名者の前記電子署名を前記電子署名文書と関連付けて保存させることに、前記クライアントデバイス上で実行するウェブブラウザを使用するステップをさらに含むことを特徴とする請求項１に記載の方法。
【請求項１３】
前記署名者によって作成された前回のフォーム入力に基づいて、前記電子署名文書のフォームフィールドを自動入力するステップをさらに含むことを特徴とする請求項１に記載の方法。
【請求項１４】
クライアントデバイスによって実行されるときに、所定の方法を実行することにより、前記クライアントデバイスを介して電子署名を支援するコンテンツを有する非一時的コンピュータ可読メディアであって、
前記方法は
前記クライアントデバイスと通信可能に接続された画像キャプチャデバイスで署名文書の画像をキャプチャするステップと、
遠隔電子署名サービスで前記署名文書のキャプチャ画像を電子署名文書として保存させるステップと、
前記遠隔電子署名サービスで前記保存された電子署名文書に署名者の電子署名を関連付けて保存させることを含むことを特徴とする非一時的コンピュータ可読メディア。
【請求項１５】
前記方法は、
前記電子署名サービスに対して、前記電子署名文書へのアクセスを前記クライアントデバイスの操作者ではない人物へ提供させるステップと、
前記電子署名サービスに対して、前記人物からの署名データを受領させるステップと、をさらに含むことを特徴とする請求項１４に記載の非一時的コンピュータ可読メディア。
【請求項１６】
電子署名を支援するように構成されたコンピュータシステムであって、
メモリを有し、且つ、画像キャプチャデバイスと通信可能に接続されたクライアントデバイスと、
前記メモリに保存されたモジュールと、を備え、
前記モジュールは、前記クライアントデバイスによって実行されると、
前記画像キャプチャデバイスで署名文書の画像をキャプチャし、
遠隔電子署名サービスで前記署名文書のキャプチャ画像を電子署名文書として保存させ、そして、
前記遠隔電子署名サービスで前記保存された前記電子署名文書に関連付けて署名者の電子署名を保存させるように構成されていることを特徴とするコンピュータシステム。
【請求項１７】
前記画像キャプチャデバイスは前記クライアントデバイスから分離したスキャナであることを特徴とする請求項１６に記載のコンピュータシステム。
【請求項１８】
前記クライアントデバイスはモバイルコンピュータデバイスであり、且つ、前記画像キャプチャデバイスは、前記クライアントデバイスの一部であるカメラであることを特徴とする請求項１６に記載のコンピュータシステム。
【請求項１９】
前記モバイルコンピュータデバイスはスマートフォン、携帯端末、又はラップトップコンピュータのうち１つであることを特徴とする請求項１８に記載のコンピュータシステム。
【請求項２０】
前記クライアントデバイスから遠隔の電子署名サービスであって、電子署名管理機能を実行し、且つ、前記クライアントデバイス上で実行するウェブブラウザを介して、前記電子署名管理機能へのアクセスを提供するように構成された電子署名サービスをさらに備えることを特徴とする請求項１９に記載のコンピュータシステム。
【発明の詳細な説明】
【技術分野】
【０００１】
（優先権の主張）
本出願は２０１１年１０月２７日に出願された米国仮出願第６１／５５２，３５９の利益を主張するものであり、その内容は参照により組み込まれる。また、本出願は２０１２年８月２７日に出願された米国特許出願第１３／５９５，８７６の一部継続出願であり、２０１１年８月２５日に出願された米国仮出願第６１／５２７，４０６の利益を主張するものである。
【０００２】
本開示は電子署名のための方法及びシステムに関し、より具体的には、モバイルデバイスのカメラで文書の画像をキャプチャして、署名及び保存のための電子署名サービスへと画像を電子署名文書としてインポートするなどすることにより、モバイルデバイス又は他のクライアントデバイスを利用した、署名者による電子文書署名を支援（又は、容易化，ｆａｃｉｌｉｔａｔｅ）するための方法及びシステムに関する。
【背景技術】
【０００３】
電子署名の既存の取り組みでは、モバイルデバイスのための電子署名「スタンプ（ｓｔａｍｐｉｎｇ）」アプリケーションが提供される。署名アプリケーションにより、ユーザは署名のために送信されてきた文書を開封し、そして、署名又はその他のデータを文書内に「スタンプ」し、これを電子メールで返信できる。この取り組みは多くの欠点を抱えている。ある事例では、それはモバイルデバイス用の特定のソフトウェアアプリケーションにしか動作しないため、署名プロセスはモバイルデバイス上のソフトウェアで全体的に実行される。それ故、文書は手動で電子メールメッセージから装置へと移動され、操作（処理）され、それから電子メール配信のための装置に戻されなければならない。
【発明の概要】
【発明が解決しようとする課題】
【０００４】
また、複数の装置又はプラットフォーム用のアプリケーションを作成するためには、すべてのプラットフォーム、ひいては実際にＰＤＦを処理可能な十分な性能を有するプラットフォームのためだけに、極めて余分なアプリケーションが作成されなければならない。すべてのプラットフォーム又は装置がファイルの変換、ファイルの表示、署名取り込み、配置、セキュリティの管理などのタスクを実際に処理できるわけではない。モバイルデバイスにおいて上記のような全ての必要な機能を厳密に且つ普遍的に実行できないことは、とりわけモバイルデバイス環境（コンテクスト、ｃｏｎｔｅｘｔ）において、電子署名サービスの拡大を制限している。
【０００５】
さらに、このようなアプリケーションは、ユーザが文書のハードコピー文書を受け取るような事例を扱うことができない。例えば、仮にユーザが同意書の紙のコピーを受け取ったとすると、ユーザがモバイルデバイスに該文書をインポートして、電子署名を添付するための便利な方法がない。モバイルデバイスが物理的文書を扱えないことにより、電子署名サービスの拡大が制限されている。
【図面の簡単な説明】
【０００６】
本発明の好適な及び代替可能な実施例が、以下の図面を参照して、詳細に説明される。
【０００７】
【図１】図１は一例の電子署名サービスの一例の実施形態のブロック図である。
【０００８】
【図２Ａ−２Ｅ】図２Ａから２Ｅは一実施形態に従ったユーザインターフェイス画面を図示している。
【０００９】
【図３】図３は一実施例の電子署名におけるクライアントのプロセスのフロー図である。
【００１０】
【図４】図４は一実施形態に従った電子署名サービスの実施を目的とした、一例のコンピュータシステムの例示のブロック図である。
【発明を実施するための形態】
【００１１】
ここに記述される実施形態は、電子文書署名を容易にするべく、モバイルデバイス及び他のクライアントデバイスのための改良されたコンピュータ及びネットワークをベースとした方法及びシステムを提供する。例示の実施形態は、文書及び対応する電子署名の作成、保存、管理を容易にするように構成された電子署名サービス（「ｅｌｅｃｔｒｏｎｉｃ  ｓｉｇｎａｔｕｒｅ  ｓｅｒｖｉｃｅ，ＥＳＳ」）を提供する。ここに説明する技術の少なくともいくつかを使用して、ユーザ（「署名者（ｓｉｇｎｅｒ）」）は、カメラ又は他の画像キャプチャデバイス（スキャナなど）を搭載した又は通信可能に接続されたクライアントデバイスで、紙の署名文書（ｓｉｇｎａｔｕｒｅ  ｄｏｃｕｍｅｎｔ）を効果的にＥＳＳにインポート可能である。まず、署名者は紙の署名文書の画像をキャプチャする（例えば、写真を撮影する）。次に、クライアントデバイスで実行するブラウザ又は他のクライアントモジュールを使用して、署名者はキャプチャ（取り込み、捕捉）した画像をＥＳＳにインポートできる。さらに、署名者は、文書がＥＳＳにインポートされる前又は後のいずれかに、モバイルデバイスを介して文書にアクセスし、文書を検証、及び文書に署名することができる。文書の署名後、例えばＥＳＳに電子メールを送信させる、あるいは、受領者に署名済文書（ｓｉｇｎｅｄ  ｄｏｃｕｍｅｎｔ）を転送させることにより、ＥＳＳに対して受領者に署名済文書のアクセスを提供させるように、署名者がクライアントデバイスを使用可能である。
【００１２】
図１は電子署名サービスの一実施形態の例示のブロック図を示している。具体的には、図１は、署名文書の電子署名を容易にすべく、送信者ユーザ１０及び署名者ユーザ１１によって利用されるＥＳＳ１１０を表している。
【００１３】
説明されるシナリオにおいて、送信者１０は、文書（例えば、契約書や同意書）を署名者１１に転送するが、ここでは紙の文書１９が受領される。文書の転送には、郵送又はクーリエ便を通して文書を送信することが含まれてもよい。他の実施形態では、例えば、ファクシミリ機／ネットワーク（図示されず）を介して文書を転送することにより、文書は少なくとも一部が電子フォームで転送されてもよいが、ここでは紙の文書１９として複写される。別の例示として、送信者１０は、電子メールの添付として含まれる文書が付された電子メールを送信するために、送信者クライアントデバイス１６０を使用してもよい。転送文書はＰＤＦ、Ｍｉｃｒｏｓｏｆｔ  Ｗｏｒｄ、ＨＴＭＬ、テキストなどの任意のフォーマットであってもよい。電子メール又は電子式トランスミッション（ｅｌｅｃｔｒｏｎｉｃ  ｔｒａｎｓｍｉｓｓｉｏｎ）の受領時に、署名者１１又は別のパーティ（関係者）が転送文書を紙文書１９として印刷する。
【００１４】
次に、署名者１１は文書をＥＳＳ１１０にインポートすることに、署名者クライアントデバイス１６１を使用可能である。図示された実施形態では、署名者クライアントデバイス１６１はカメラ１６２及びクライアントロジック１６３（例えば、ウェブブラウザ、電子メールリーダ、プラグイン、モバイルアプリケーションなど）を含む。他の実施形態では、署名者クライアントデバイス１６１は、紙文書１９の画像をキャプチャするように操作可能な分離した（別体の）カメラ又は他の入力デバイス（例えば、スキャナ）と通信可能に接続されている。署名者１１は、クライアントロジック１６３に対して、紙文書１９の画像をキャプチャするようにカメラ１６２に命令させる。そして、キャプチャされた文書画像データは、ビットマップ、圧縮画像（例えば、ＪＰＥＧ、ＧＩＦ）、ＰＤＦファイルなどとして、署名者クライアントデバイス１６１に保存又はバッファされる。署名者１１は、（例えば、画質を決定するために）キャプチャ文書の画像データをレビュー（閲覧）し、（例えば、カメラ１６２で取り込んだ紙文書１９に追加ページを加えることにより、署名データを加えることにより）画像データを修正することなどを行う。
【００１５】
紙文書１９がカメラ１６２で問題なく取り込まれたことをユーザが確認すると、ユーザはクライアントロジック１６３に対して、カメラ１６２でキャプチャされた文書画像データをＥＳＳ１１０にインポートさせ、そして、それは電子文書２０として確実に保存される。ＥＳＳ１１０は、ＥＳＳ１１０に保存するために標準的な又は好ましいフォーマットにキャプチャ画像データを変換してもよい。例えば、取り込んだ画像データがビットマップ又は他の画像ファイルとしてＥＳＳ１１０に転送された場合、該データはＥＳＳ１１０によってＰＤＦファイルに変換又は組み込まれてもよい。
【００１６】
文書画像データがＥＳＳ１１０にインポートされ、文書２０として確実に保存されると、署名者１１はクライアントデバイス１６１を使用して、ＥＳＳ１１０と相互作用（インタラクト）し、且つ、様々な電子署名関連の操作を実行することができる。例えば、署名者１１は、クライアントデバイス１６１上で実行するロジック１６３、ブラウザ又は他のクライアントロジックを利用して文書を表示し、ブラウジング（閲覧）することにより、文書にアクセスして検証することができる。署名者１１が存分に文書をレビュー及び／又は修正すると、署名者１１は、文書２０に関連付けられた署名データ２１としてＥＳＳ１１０によって確実に保存された署名データを提供可能である。ある実施形態では、署名者１１は、例えば文書１９がカメラ１６２によってキャプチャされた後であるが該キャプチャ画像データがＥＳＳ１１０にインポートされる前のような早い段階で署名データを提供可能であることに留意すべきである。このような場合、文書画像データのＥＳＳ１１０へのインポート中に（又は、ほぼ同時に）、署名データは署名者クライアントデバイス１６１から転送されうる。
【００１７】
署名者１１が文書２０に署名すると、署名者１１は、ＥＳＳ１１０に対して、署名済文書２０へのアクセスを受領者に対して提供させることができる。例えば、署名者１１は署名済文書を送信者１０又は他の受領者に返信してもよい。署名済文書へのアクセスを提供する別の方法も検討される。図示された実施形態で、例えば、ＥＳＳ１１０に対して、送信者クライアントデバイス１６０へ文書２０のＵＲＬ、リンク、又は他の識別子を（例えば、電子メールに含めて）転送させることにより、署名者１１は、ＥＳＳ１１０に対して、受領者１０へと通知させることができる。送信者１０は、ＥＳＳ１１０上の署名済文書にアクセスするように、ブラウザ又は送信者クライアントデバイス１６０上で実行する他のクライアントロジックを使用できる。このような方法は、電子メールやその他の不確かな伝送設備を介して伝送されない方がよい機密文書に関して利点を有する。別の実施形態では、ＥＳＳ１１０は、電子メール、ファックス又は他の伝送機構を介して署名文書２０を伝送可能である。
【００１８】
図１に関して説明されるシナリオは様々な方法で修正されてよいことに留意すべきである。例えば、図１の署名者１１に関して説明されたインポート及び署名操作を、別のユーザが行ってもよい。例えば、第１ユーザがクライアントデバイス（例えば、携帯電話）を使用して、署名文書の画像をキャプチャし、該キャプチャ画像をＥＳＳ１１０にインポートしてもよい。次に、第２ユーザが保存電子署名文書を検証して署名することに使用可能なリンクを含む電子メールをＥＳＳ１１０に送信させる等によって、第１ユーザが（ＥＳＳ１１０を介して）第２ユーザが署名を提供することを要求してもよい。
【００１９】
説明した技術の少なくともいくつかを、クライアントデバイスがカメラを含まない、又はカメラを使用しない場面で採用可能であることに留意すべきである。例えば、送信者１０は、送信者クライアントデバイス１６０を使用して、署名文書（例えば、契約書又は同意書）を署名者クライアントデバイス１６１に転送しうる。例えば、送信者１０は、（例えば、添付文書として又は電子メールの本文として）署名文書を含む電子メールを転送してもよい。次に、署名者１１は署名者クライアントデバイス１６１上のロジック１６３を使用して、安全な保存及び署名のために、受領した署名文書をＥＳＳ１１０にインポートしうる。電子メール式の実施形態では、ロジック１６３がプラグインもしくは電子メールクライアントへの拡張子、又は、他の種類の電子メールリーダであるか又はそれらを含んでもよい。別の例示では、例えば銀行ローン、クレジットカード残高などを提供するまたは支援するウェブサイトにアクセスしている最中などに、署名者１１は最初にウェブサイトから署名文書を受領しうる。（例えば、署名者クライアントデバイス１６１のウェブブラウザで）文書を受領したうえで、署名者１１はロジック１６３を使用して、安全な保存及び署名のために、受領した署名文書をＥＳＳ１１０にインポートしてもよい。このような実施形態では、ロジック１６３はウェブブラウザのコンテクスト内で実行するプラグインであるか、又はそれを含んでもよい。
【００２０】
ＥＳＳ１１０は別の又は追加機能を提供してもよい。例えば、ＥＳＳ１１０はインテリジェントフォーム記入（ｉｎｔｅｌｌｉｇｅｎｔ  ｆｏｒｍ−ｆｉｌｌｉｎｇ）操作を提供又は支援しうる。ある実施形態では、署名者１１が文書に電子的に署名することに繰り返しＥＳＳ１１０を使用する場合、署名文書内のフォームがデータ要素で自動入力されるように、ＥＳＳ１１０が、署名者１１によって提供されたフォームデータ（例えば、氏名、住所、電話番号）をトレース（追跡）する。これにより、署名プロセスの効率性が向上する。
【００２１】
ある実施形態では、ＥＳＳ１１０は、ユーザの身元（同一性、アイデンティティ）を表示する電子身分証明書（「ＩＤ」）カードを提供する。ＩＤカードは、個人情報（例えば、氏名、住所）、署名、セキュリティ設定（例えば、個人情報の共有に関する設定）を含む、対応ユーザに関する情報の入れ物を含みうる又は入れ物として機能しうる。ある事例では、ＥＳＳ１１０は、ソーシャルネットワーク（例えば、フェイスブック、ツイッター）又は他のシステム（例えば、周知の電子メールシステム）に関する認証情報又は信用証明（資格）に基づいてユーザにＩＤの作成を促す。例えば、ユーザは、ソーシャルネットワークの自分のアカウント（例えば、ユーザ名とパスワード）の認証情報を使用して、ＥＳＳ１１０に管理されるＩＤカードを作成してもよい。これにより、さらに別のセットのＥＳＳ１１０に固有の認証情報を作成する必要性を排除しうる。
【００２２】
典型的には、署名者クライアントデバイス１６１はモバイルデバイスであり、例えばスマートフォン、タブレット型コンピュータ、携帯端末などである。しかしながら、この技術は、デスクトップコンピュータ、キオスクシステムなどを含む他のコンテクスト（ｃｏｎｔｅｘｔ，環境）及び／又は他のコンピュータ装置にも同様に適用されうる。具体的には、ある実施形態は、デスクトップの電子メールクライアント（例えばＯｕｔｌｏｏｋ）、ホスト型電子メールサービス（例えばＧｏｏｇｌｅ  Ｍａｉｌ、Ｙａｈｏｏ！Ｍａｉｌ、Ｈｏｔｍａｉｌ）又は他のアプリケーションのコンテクストにおいて、既出の技術のいくつかを実行するように構成されたモジュール（例えば、プラグイン、ウィジェット、拡張機能）を提供する。さらに、該技術は、一般的に、ユーザからの電子署名の入手（例えば、諸条件への承認の入手、売買契約の締結等）が必要な任意のウェブベースの情報又はｅ−コマースサービスのコンテクストに（例えば、署名モジュールとして）展開されうる。
【００２３】
ある実施形態では、上記機能のすべて又は上記機能のほとんどが、クライアントデバイス１６１上で実行する軽量クライアント（ｌｉｇｈｔｗｅｉｇｈｔ  ｃｌｉｅｎｔ、例えばウェブブラウザ）を利用して実行可能である。これにより、ＥＳＳ１１０によって提供される署名サービスの全範囲を実行する又は全範囲にアクセスするために、特殊用途のソフトウェアがクライアントデバイス１６１にインストールされる必要がない、又はほとんど必要がない。このように説明した技術は、モバイルデバイス上での電子署名を容易にするための既知の方法における欠点の多くを克服する。例えば、既知の方法において、クライアントは、電子署名を文書に添付するために、携帯電話に特殊用途の署名アプリケーション（「署名アプリ（ｓｉｇｎａｔｕｒｅ  ａｐｐ）」）をインストールしなければならない。残念なことに、このアプリケーションは携帯電話の電子メールクライアントとは異なるため、ユーザは受け取った文書を署名アプリに手動で移動し、署名を添付し、その署名済文書（又は署名文書）を電子メールクライアントに戻し、そして、署名済文書を受領者に伝送しなければならない。このようなプロセスは非効率的で煩わしく、使い勝手が悪い。さらに、多くの署名アプリは文書変換などの特徴を含んでいないため、署名を複数の一般的な文書フォーマットに添付することができない。さらに、携帯電話のプラットフォーム（例えば、ｉＰｈｏｎｅ、Ａｎｄｒｏｉｄ、Ｂｌａｃｋｂｅｒｒｙ）の多様性は、各プラットフォームのための異なるアプリケーションの開発及びサポートの必要性を意味する。他方、ここに説明される技術は、プラットフォームにほとんど依存することなく、核となる機能はＥＳＳ１１０によって提供されるが、標準的なウェブブラウザを使用して様々な種類のクライアントからアクセスされる。
【００２４】
さらに、２０１２年８月２７日に出願された米国特許出願第１３／５９５，８７６（表題「サードパーティの書類を署名及び保持するためのモバイルソリューション（ＭＯＢＩＬＥ  ＳＯＬＵＴＩＯＮ  ＦＯＲ  ＳＩＧＮＩＮＧ  ＡＮＤ  ＲＥＴＡＩＮＩＮＧ  ＴＨＩＲＤ−ＰＡＲＴＹ  ＤＯＣＵＭＥＮＴＳ）」）はモバイルデバイス又は他のクライアントデバイスを介して電子署名を促進するように構成されたＥＳＳの実施形態を記載しており、参照によりここに組み込まれる。ここに記述される技術は米国特許出願第１３／５９５，８７６に記載された１つ以上の技術と組み合わせて使用されうる。
【００２５】
図２Ａから図２Ｅは一実施形態に従ったユーザインターフェイス画面を図示している。図示されたユーザインターフェイスは上記のクライアントロジック１６３のような署名者クライアントデバイス上で実行するクライアントソフトウェアによって表示されうる。
【００２６】
図２Ａは、署名者又は他のユーザが操作するクライアントデバイスによって表示されるログイン画面２００を図示している。画面２００は、スマートフォン又はタブレットコンピュータのようなモバイルクライアントデバイスによって提供される。別実施形態では、画面２００は、ファイルセレクタ（ｆｉｌｅ  ｃｈｏｏｓｅｒ）／ファイルブラウザ又はデスクトップコンピュータシステムの一部であってもよい。画面２００は、ユーザ名入力制御部２０１、パスワード入力制御部２０２、及びサインイン制御部２０３を表示する。署名者が制御部２０１及び２０２を介してユーザ名及びパスワードをそれぞれ提供した後、署名者は制御部２０３を選択して、認証されたセッションをＥＳＳで開始する。
【００２７】
また、画面２００は、忘れられたパスワード２０４を回復する、新しいアカウント２０５を作成する、又はソーシャルネットワークの認証情報を使ってサインインするための制御部（例えば、リンク）を含む。制御部２０５を選択すると、署名者はアカウント作成画面へと導かれる。署名者は電子メールアドレス、氏名、パスワード、パスワード確認を入力し、そしてＥＳＳの諸条件に同意するように求められる。これらすべてに問題なければ、署名者に対して新規アカウントが作成される。ある実施形態では、アクティべーション用電子メールが署名者に送信され、アカウントが作成されたことを署名者に通達し、アカウントをアクティブ化するために、署名者に、記載されたリンクをクリックするように要求する。
【００２８】
制御部２０６が選択されると、署名者は、ソーシャルネットワーク（例えば、フェイスブック、Ｇｏｏｇｌｅ＋、ツイッター）又は他の情報サービス（例えば、無料オンライン電子メールサービス）の認証情報を提供するように求められる。ユーザが提供された認証情報に関連付けられたＥＳＳのアカウントを有していない場合、上記のように、ユーザはアカウントを作成するように促される。ユーザがＥＳＳに関連付けられたアカウントを有する場合、認証セッションが開始される（正しい認証情報が提供される）。
【００２９】
図２Ｂは文書ブラウザ画面２１０を示している。画面２１０は、典型的には上記のとおり、ログインに成功したときにが表示される。画面２１０はクライアントデバイス上で又はクライアントデバイスを介して署名に使用可能な文書の記号（インジケータ）が示される。図示の例では、画面２１０は制御部２１１を含み、それは署名のために利用可能な文書を識別する。文書はクライアントデバイス又は別の場所（例えば、ＥＳＳ内）に保存されうる。制御部は、対応文書への署名又は削除のためのボタンを含む。ユーザが署名ボタンを選択すると、以下の図２Ｅに説明するとおり、署名画面が表示される。
【００３０】
また、画面２１０は、クライアントデバイス上のクライアントソフトウェアの別画面へアクセスするためのタブを含むタブ制御部２１２を含む。制御部２１２は画面２１０にアクセスするための文書（Ｄｏｃｓ）タブ２１３、画像キャプチャ画面２２０（図２Ｃ及び２Ｄ）にアクセスするためのキャプチャ（Ｃａｐｔｕｒｅ）タブ２１４、図１で上述した電子ＩＤカードを管理するためのＩＤ（Ｉｄｅｎｔｉｔｙ）タブ２１５を含む。
【００３１】
図２Ｃは画像キャプチャ画面２２０を示している。画像キャプチャ画面２２０はここに説明されるように、紙文書の画像のキャプチャ及びインポートを支援する。画面は、撮影（Ｔａｋｅ  Ｐｈｏｔｏ）制御部２２１と、既存写真選択（ｓｅｌｅｃｔ  ｅｘｉｓｔｉｎｇ  ｐｈｏｔｏ）制御部２２２とを含む。制御部２２１を選択すると、署名者には、カメラ、又は、クライアントデバイスの画像キャプチャデバイスもしくは該クライアントデバイスに関連づけられた画像キャプチャデバイスへのユーザインターフェイスが表示される。そして、署名者は紙の署名文書の１枚以上の写真を撮影することができる。
【００３２】
制御部２２２を選択すると、署名者には、事前に撮影されてクライアントデバイスに保存された１枚以上の写真を選択するためのフォトブラウザが表示される。ブラウザは署名ソフトウェアに合わせたカスタムブラウザ、又は、クライアントデバイスが備える固有もしくはデフォルトのフォトブラウザであってよい。ユーザが紙の署名文書の写真を取り込む及び／又は選択すると、画面２２０は、次の図２Ｄに関して説明するが、選択された写真を表示する。
【００３３】
図２Ｄは、署名者が電子署名文書としてインポートする１つ以上の写真を選択した後の画像キャプチャ画面２２０を示す。画面２２０は署名者によって選択された写真のサムネイルを表示するトレイ制御部２２３を含む。この例示では、署名者は３枚の写真を選択しており、Ｐｈｏｔｏ１、２、３とラベルが貼られている。署名者は、例えば、順序の付け直し、リサイズ、トリミング、明度又はコントラストの調整などを行うことにより、写真を操作することができる。また、完了制御部２２４が表示され、署名者が満足のいくように写真をアレンジ（構成）及び／又は操作したときに、署名者によって選択されうる。完了制御部２２４の選択により、選択された写真は、電子署名文書として安全（確実）に保存されるように、ＥＳＳへと転送される。別の実施形態では、写真の転送は、署名者が次に説明される図２Ｅの署名画面を介して署名を添付する後まで延期されてもよい。
【００３４】
図２Ｅは署名画面２３０を図示している。署名画面２３０は、ユーザが文書への署名を要求する指示に応答して表示される。例えば、画面２３０は、ユーザが制御部２１１（図２Ａ）の署名（Ｓｉｇｎ）ボタン又は完了制御部２２４（図２Ｄ）を選択することに応答して表示される。
【００３５】
署名画面２３０は署名文書２３３を表示し、メニューバー２３１を含む。署名文書２３３は、上記のとおり、署名者にキャプチャ又はインポートされた画像のコピー又は他の表示形式である。メニューバー２３１には、追加（Ａｄｄ）制御部、終了（Ｆｉｎｉｓｈ）制御部、その他のオプション（Ｍｏｒｅ  Ｏｐｔｉｏｎｓ）制御部が含まれる。追加制御部は、選択されると署名要素のメニュー２３２を表示する。署名要素には、署名、署名者のイニシャル、署名者の氏名、署名日、テキスト、チェックボックスが含まれる。署名要素の１つを選択することにより、ユーザ／署名者は対応する要素を署名文書２３３に挿入（例えば、ドラッグアンドドロップ）可能である。この例示では、署名者は署名要素２３４を選択し、署名文書２３３にドラッグしている。署名要素２３４はアクティブ制御部であり、署名者の署名と文書２３３を関連付けるために、署名者によって選択（タッチ、クリックなど）されうる。
【００３６】
ユーザが文書２３３を検証及び署名し終わると、ユーザはメニュー２３１の終了制御部２３４を選択する。終了制御部により、署名要素２３４を介して収集された署名は、ＥＳＳ１１０によって文書２３３と関連付けられて確実（安全）に保存される。また、終了制御部は、１又は複数の受領者に署名済文書２３３を提供するためのオプション又は他のアクセス機能を提供してもよい。例えば、終了制御部は署名者のクライアントデバイスの電子メールクライアントを自動的に起動してもよい。電子メールクライアントには、署名済文書２３３のコピー（例えば、添付文書として）及び／又は参照先（例えば、ＵＲＬ）を含むメッセージが自動入力されうる。
【００３７】
図２Ａから２Ｅは文書をインポート及び署名する「署名者」に関して説明したが、図示されるシナリオは複数の異なるユーザを含みうる。例えば、第１ユーザ（インポータ（ｉｍｐｏｒｔｅｒ））は、図２Ｃ及び２Ｄで説明されたように、紙の署名文書の画像をキャプチャしてそれをインポートしてもよい。次に、インポータユーザは署名文書を第２ユーザ（署名者）に対して電子メールを送信又は転送する。次に、該第２ユーザは、文書に署名するために、図２Ｅに示されるようなユーザインターフェイスを使用する。
【００３８】
図３は一例の電子署名クライアントプロセスのフロー図である。図示されたプロセスは、例えば、署名者クライアントデバイス１６１上で実行するロジック１６３である。
【００３９】
プロセスはブロック３０２で開始し、ここでプロセスはクライアントデバイスのカメラで署名文書の画像をキャプチャする。図１に示されるように、署名者クライアントデバイス１６１は通常、ハードコピー（例えば、紙）の署名文書の画像をキャプチャ（例えば、撮影）するためのカメラ１６２を含む。別の実施形態では、署名者クライアントデバイス１６１は署名文書の画像をキャプチャするために使用可能なスキャナ、別体のカメラ又は他の画像キャプチャデバイスと接続可能である。
【００４０】
ブロック３０４では、該プロセスにより、キャプチャ画像は遠隔電子署名サービスに電子署名文書として保存される。署名者クライアントデバイス１６１はキャプチャ画像を電子署名サービスへとアップロード、インポート又は転送し、そこで画像は確実（安全）に保存される。
【００４１】
ブロック３０６では、該プロセスにより、電子署名が保存された電子署名文書と関連づけられて保存される。典型的には、ロジック１６３は、文書に署名を「添付する（ａｔｔａｃｈ）」ようにユーザによって操作される。署名の添付は、ユーザが電子署名サービスに署名したとする表示を（他のデータ、署名フォームなど、と共に）転送することを含みうる。それにより、電子署名サービスは署名者の署名を文書に関連付けて確実に保存する。
【００４２】
図４は例示の実施形態に沿った、電子署名サービスの実行のためのコンピュータシステムの例である。具体的には、図４はＥＳＳ１１０を実行するために使用されうるコンピュータシステム１００を示している。
【００４３】
１つ以上の汎用的用途又は特殊用途のコンピュータシステムがＥＳＳ１１０の実行に使用されうることに留意すべきである。さらに、コンピュータシステム１００は１つ以上の異なるコンピュータシステム／デバイスを含み、分散された場所に及んでもよい。さらに、図示の各ブロックは、特定の実施形態に対して１つ以上のブロックを適宜表示しうる。又は他のブロックとの組み合わせで表示してもよい。また、ここに説明される性能を実現するために、電子署名サービス１１０はソフトウェア、ハードウェア、ファームウェア、あるいはそれらの組み合わせによって実施されうる。加えて、ここに記載される実施技術は署名者クライアントデバイス１６１のクライアントロジック１６３を含む別の態様を実行する際にも使用されうる。
【００４４】
ここに示される実施形態では、コンピュータシステム１００はコンピュータメモリ（メモリ）１０１、ディスプレイ１０２、１又は複数の中央処理装置（ＣＰＵ）１０３、入力／出力装置１０４（例えば、キーボード、マウス、ＣＲＴ又はＬＣＤディスプレイなど）、他のコンピュータ可読メディア１０５、及び、ネットワーク１５０に接続されたネットワーク接続１０６を含む。ＥＳＳ（電子署名サービス）１１０はメモリ１０１に内在するように図示されている。他の実施形態では、コンテンツの一部、ＥＳＳ１１０のいくつかの又はすべての構成要素（コンポーネント）が他のコンピュータ可読メディア１０５に保存及び／又は伝送されてもよい。ＥＳＳ１１０の構成要素は、好ましくは、１つ以上のＣＰＵ１０３上で実行し、且つ、ここに説明されるモバイル電子署名プロセスを容易にする。また、他のコード又はプログラム１３０（例えば、管理用インターフェイスやウェブサーバなど）、及び、データリポジトリ（ｄａｔａ  ｒｅｐｏｓｉｔｏｒｙ）１２０のような、他の可能性のあるデータリポジトリが、メモリ１０１に内在して、好ましくは１つ以上のＣＰＵ１０３で実行する。留意すべきであるが、図４の１つ以上の構成要素は、特定の実施において存在しなくてもよい。例えば、ある実施形態は、他のコンピュータ可読メディア１０５又はディスプレイ１０２を含まないことがある。
【００４５】
電子署名サービス１１０は、サービスマネージャ１１１、ユーザインターフェイス（ＵＩ）マネージャ１１２、電子署名サービスアプリケーションプログラムインターフェイス（ＡＰＩ）１１３及び電子署名サービスデータ保存部１１５を含む。
【００４６】
一般的に、ＥＳＳ１１０は、サービスマネージャ１１１及び関連するロジックを介して、送信者クライアントデバイス１６０及び／又は署名者クライアントデバイス１６１を操作するユーザのために又は該ユーザの代わりに、電子署名関連機能を実行する。一実施形態では、署名者クライアントデバイス１６１を操作する署名者は、電子署名されるべき文書をＥＳＳ１１０内にインポート（例えば、伝送、アップロード、送信）する。上述のとおり、文書のインポートは、紙文書の画像のキャプチャ、及び、クライアントデバイス１６１からＥＳＳ１１０へのキャプチャ画像の転送を含み得る。ＥＳＳは文書をデータ保存部１１５に確実（安全）に保存する。安全な文書保存は、ハッシュ、メッセージダイジェスト（ｍｅｓｓａｇｅ  ｄｉｇｅｓｔｓ）等の生成のような、文書改ざんを検出するための暗号技術を使用することを含む。署名者クライアントデバイス１６１を操作する署名者は、次に、ＥＳＳ１１０によって保存された文書にアクセスし、該文書を閲覧し、且つ、該文書に署名する。ある実施形態では、ＥＳＳ１１０は、署名者クライアントデバイス１６１に文書の画像又は他の表示形態を伝送し、続いて、署名者の署名（又は署名の意思）の表示をＥＳＳ１１０に伝送する。そうすると、ＥＳＳ１１０はデータ保存部１１５内の文書に関連づけられた署名者の署名を確実に保存する。文書の署名後、署名者クライアントデバイス１６１を使用する署名者は、電子メール、ファックス又は他の手段を介して、ＥＳＳ１１０に対して、１人以上の受領者に署名文書を提供させること
ができる。
【００４７】
サービスマネージャ１１１は、前述のインテリジェントフォームファイリングのような他の又は追加の機能を実行可能である。また、サービスマネージャ１１１は、署名者クライアントデバイス１６１にインストール可能であり、且つ、署名者クライアントデバイス１６１とＥＳＳ１１０とを統合するように構成されたコードモジュールを提供（例えば、転送）することもできる。例えば、コードモジュールは、署名者クライアントデバイス１６１にインストールされるモバイルアプリケーション（例えば、アプリ）であってもよい。別例では、コードモジュールは、ユーザによる選択又は起動に応答して、受領文書をＥＳＳ１１０にインポートするように構成された制御部（例えばボタン、メニューアイテム、ウィジェット）を追加することで電子メールクライアント又は他のアプリケーションの機能性を拡張してもよい。
【００４８】
ＵＩマネージャ１１２は、ＥＳＳ１１０及びその様々な構成要素とのユーザ相互作用を容易にするビュー及びコントローラを提供する。例えば、ＵＩマネージャ１１２は、ＥＳＳ１１０に対話型アクセスをもたらし、これによりユーザは署名のための文書をアップロード又はダウンロードし、文書を検証及び変更し、署名された文書を受領者に伝送又は提供することができる。ある実施形態では、ＵＩマネージャ１１２の機能へのアクセスは、場合によりその他のプログラム１３０の１つとして実行するウェブサーバを介して提供されてもよい。このような実施形態では、クライアントデバイス１６０又は１６１の一方で実行するウェブブラウザ（又は他のクライアント）を操作するユーザは、ＵＩマネージャ１１２を介して電子署名サービス１１０にインタラクト可能である。
【００４９】
ＡＰＩ１１３はＥＳＳ１１０の１以上の機能へのプログラム的アクセスを提供する。例えば、ＡＰＩ１１３は、他のプログラム１３０のうちの１又はいくつかの他のモジュールによって起動されうる電子署名サービス１１０の１つ以上の機能に対して、プログラムインターフェイスを提供することができる。このように、ＡＰＩ１１３は、（例えば、電子署名サービス１１０の機能をウェブアプリケーションに統合するための）ユーザインターフェイス、プラグイン、ニュースフィード、アダプタのようなサードパーティのソフトウェアの開発を助ける。さらに、少なくともいくつかの実施形態では、ＡＰＩ１１３は、電子署名サービス１１０の様々な機能にアクセスするために、サードパーティシステム１６５のような遠隔エンティティ（ｒｅｍｏｔｅ  ｅｎｔｉｔｉｅｓ）を介して起動又はアクセスされてもよい。例えば、該システム１６５上で実行するホスト型電子メールサービスは、ＡＰＩ１１３を介してＥＳＳ１１０の電子署名機能へのアクセスを提供可能である。別実施例では、該システム１６５で実行するｅ−コマースサイト（例えばオンラインストア）は、ユーザに選択されると、電子署名プロセスを開始するように構成された署名制御部／ウィジェットを提供するなどにより、ＡＰＩ１１３を介してＥＳＳ１１０の電子署名機能へのアクセスを提供可能である。
【００５０】
データ保存部１１５は、ＥＳＳ１１０の他のモジュールによって情報を保存及び／又は通信することに使用される。ＥＳＳ１１０の構成要素は、文書、署名、追跡されたフォームエントリ（追跡フォーム入力、ｔｒａｃｋｅｄ  ｆｏｒｍ  ｅｎｔｒｉｅｓ）などを含む、様々な種類の情報を記録することに、データ保存部１１５を使用する。ＥＳＳ１１０の構成要素は、主にデータ保存部１１５を通って通信するように記載されているが、メッセージ受け渡し、関数呼び出し、パイプ、ソケット、共有メモリなど、その他の通信方法も考慮される。
【００５１】
ＥＳＳ１１０は、ネットワーク１５０を介して、クライアントデバイス１６０、１６１及びサードパーティシステム１６５と相互作用する。ネットワーク１５０は、１つ以上のメディア（例えば、ツイストペア、同軸ケーブル、光ファイバー、無線周波数）、ハードウェア（例えば、ルータ、スイッチ、リピータ、トランスシーバ）、及び、遠隔に位置する人間及び／又は装置の間の通信を支援する１つ以上のプロトコル（例えば、ＴＣＰ／ＩＰ、ＵＤＰ、Ｅｔｈｅｒｎｅｔ（登録商標）、Ｗｉ−Ｆｉ、ＷｉＭＡＸ）の組み合わせであってもよい。ある実施形態では、ネットワーク１５０は複数の異なる通信チャネル又は機構（例えばケーブルベース又はワイヤレス）であってもよく、あるいは、これらを含んでもよい。クライアントデバイス１６０及び１６１は、パソコン、ラップトップコンピュータ、スマートフォン、携帯端末、タブレット型コンピュータ、キオスクシステムなどを含む。サードパーティシステム１６５とクライアントデバイス１６０及び１６１とはコンピュータシステム１００と同様の構成のコンピュータシステム及び／又はデバイスであってもよく、あるいは、これらを含んでもよい。また、サードパーティシステム１６５はディスプレイ、ＣＰＵ、他のＩ／Ｏデバイス（例えば、カメラ）、ネットワーク接続などを含みうる。
【００５２】
例示の実施形態では、ＥＳＳ１１０の構成要素／モジュールは標準的なプログラミング技術を使って実行される。例えば、ＥＳＳ１１０は、ＣＰＵ１０３上で作動する「固有の（ｎａｔｉｖｅ）」実行ファイルとして、１つ以上の静的又は動的ライブラリに準じて実行されうる。別の実施形態では、ＥＳＳ１１０は、他のプログラム１３０の１つとして実行する仮想記憶デバイス（ｖｉｒｔｕａｌ  ｍａｃｈｉｎｅ）によって命令が処理されるときに実行されうる。一般的に、この分野で知られる広範なプログラミング言語を、この例示の実施形態を実行するために採用可能であり、それは様々なプログラミング言語パラダイムの代表的な実装を含む。該プログラミング言語パラダイムは、以下に限定されないが、オブジェクト指向言語（例えば、Ｊａｖａ（登録商標）、Ｃ＋＋、Ｃ＃、Ｖｉｓｕａｌ  Ｂａｓｉｃ．Ｎｅｔ、Ｓｍａｌｌｔａｌｋなど）、関数型言語（例えば、ＭＬ、Ｌｉｓｐ、Ｓｃｈｅｍｅなど）、プロシージャ言語（例えば、Ｃ、Ｐａｓｃａｌ、Ａｄａ、Ｍｏｄｕｌａなど）、スクリプト言語（例えば、Ｐｅｒｌ、Ｒｕｂｙ、Ｐｙｔｈｏｎ、ＪａｖａＳｃｒｉｐｔ（登録商標）、ＶＢＳｃｒｉｐｔなど）、及び、宣言型言語（例えば、ＳＱＬ、Ｐｒｏｌｏｇなど）を含む。
【００５３】
上記の実施形態は、既知の又は独占所有権を有する同期又は非同期のクライアントサーバコンピュータ技術を使用しうる。また、多様な構成要素は、例えば、単体のＣＰＵコンピュータシステム上で作動する実行ファイルのような、より単純なプログラミング技術を使って実行されてもよい。あるいは、多様な構成要素は、当業者に知られている様々な構築技術を使用して分解されてもよい。この様々な構築技術は、以下に限定されないが、それぞれが１つ以上のＣＰＵを備える１つ以上のコンピュータシステムで作動する、マルチ・プログラミング、マルチスレッディング、クライアント―サーバ、又はピアツーピアを含む。ある実施形態は、同時かつ非同期に実行し、且つ、メッセージ受け渡し技術を利用して通信してもよい。また、他の機能は、各構成要素／モジュールによって実施及び／又は実行可能であり、異なる命令においても、及び、異なる構成要素／モジュールによっても、ここに説明した機能を実現可能である。
【００５４】
さらに、データ保存部１１８のような、ＥＳＳ１１０の一部として保存されるデータに対するプログラミングインターフェイスは、例えば、Ｃ、Ｃ＋＋、Ｃ＃、Ｊａｖａ（登録商標）  ＡＰＩを通して；ファイル、データベースもしくは他のデータリポジトリへのアクセスのためのライブラリによる；ＸＭＬのようなスクリプト言語を通して；又は、ウェブサーバ、ＦＴＰサーバ、又は保存データへのアクセスを提供する他の種類のサーバを通して、標準的機構（スタンダードメカニズム）によって利用可能である。図示されるデータ保存部１１８は、１つ以上のデータベースシステム、ファイルシステム、又は、このような情報を保存するための１つ以上の任意の技術、あるいは、上記の組み合わせとして実施され、普及しているコンピュータ技術を使用した実施を含んでいる。
【００５５】
プログラム及びデータの異なる構成及び記憶場所は、上記の技術の使用のために考慮される。広く知られている様々なコンピュータ技術は、以下に限定されないが、ＴＣＰ／ＩＰソケット、ＲＰＣ、ＲＭＩ、ＨＴＴＰ、ウェブサーバ（ＸＭＬ−ＲＰＣ、ＪＡＸ-−ＲＰＣ、ＳＯＡＰなど）を含む既知の方法で、図示された実施形態の構成要素を実行するのに適切である。他の変形例も可能である。また、他の機能性が各構成要素／モジュールによって提供可能であり、あるいは、既存の機能性が異なる方法によって構成要素／モジュールの中に分配可能である。この場合においても、ここに説明した機能を達成する。
【００５６】
さらに、ある実施形態では、ＥＳＳ１１０のいくつか又はすべての構成要素は、少なくとも部分的なファームウェア及び／又はハードウェアのような、他の手段で実行又は提供されてもよい。これは、以下に限定されないが、１つ以上の特定用途向け集積回路（「ＡＳＩＣ」）、標準集積回路、適切な命令を実行するコントローラを含み、且つ、マイクロコンロトーラ及び／又は内蔵コントローラ、フィールドプログラマブルゲートアレイ（「ＦＰＧＡ」）、複合プログラム可能論理デバイス（「ＣＰＬＤ」）などを含む。いくつかの又はすべてのシステム構成要素及び／又はデータ構造は、コンピュータ可読メディア（例えば、ハードディスク；メモリ；コンピュータネットワークもしくは無線セルラーネットワーク又は他のデータ伝送メディア、あるいは、ＤＶＤもしくはフラッシュメモリデバイスのような、該当ドライブからの読み取られる、又は、該当接続を介して読み取られる携帯媒体）にコンテンツとして（例えば、実行ファイル又は他のマシン可読ソフトウェアの命令又は構築データとして）記録されうる。これにより、コンピュータ可読メディア及び／又は１つ以上の関連するコンピュータシステム又は装置が、説明した技術の少なくともいくつかを実行するようにコンテンツを実行、使用又は提供することを可能とし、又は、そのように設定する。いくつかの又はすべてのシステム構成要素及び／又はデータ構造は、有形、非一時的（ｎｏｎ−ｔｒａｎｓｉｔｏｒｙ）なストレージメディアに保存されてもよい。また、いくつかの又はすべてのシステム構成要素及びデータ構造は、様々なコンピュータ可読伝達メディアにデジタル信号として（例えば、搬送波の一部としてエンコードされることにより、又は、アナログ又はデジタル伝播信号の一部として含まれることにより）記録されることができる。そして、それらは無線ベースのメディア、及び有線／ケーブルベースのメディアを通じて伝送され、様々な形式（例えば、単一もしくは多重化アナログ信号の一部、又は、複数の個別デジタルパケットもしくはフレーム）を有し得る。このようなコンピュータプログラム製品は、別の実施形態では異なる形態を取る可能性もある。したがって、この開示の形態は他のコンピュータシステム構造で実施されてもよい。
【００５７】
当業者がここに記された発明の思想から逸脱することなく、既出の修正を除く多数の修正を加えることが可能であることは明らかである。それ故、発明の対象は添付の請求項の範囲を以外に限定されることはない。さらに、明細書及びクレームを解釈する際、すべての用語は文脈に一致する最大限に考え得る方法で解釈されるべきである。具体的には、「含む」「備える」などの用語は、言及される要素、構成要素又は手段が、明確に言及されていないその他の要素、構成要素、又は手段を表示、使用又はそれらと組み合わされることを示し、よって要素、構成要素又は手段を非排他的な方法で言及すると解釈されるべきである。明細書及び請求書がＡ、Ｂ、Ｃ・・・Ｎから成るグループから選択された少なくとも何か１つを言及する場合、テキストはＡ＋ＮやＢ＋Ｎなどからではなく、グループからただ１つの要素を要求していると解釈されるべきである。
【００５８】
２０１１年８月２５日に出願された、米国仮出願第６１／５２７，４０６、「ＭＯＢＩＬＥ  ＳＯＬＵＴＩＯＮ  ＦＯＲ  ＳＩＧＮＩＮＧ  ＡＮＤ  ＲＥＴＡＩＮＩＮＧ  ＴＨＩＲＤ−ＰＡＲＴＹ  ＤＯＣＵＭＥＮＴＳ」、２０１１年１０月２７日に出願された、米国仮出願第６１／５５２，３５９、「ＭＯＢＩＬＥ  ＳＯＬＵＴＩＯＮ  ＦＯＲ  ＩＭＰＯＲＴＩＮＧ  ＡＮＤ  ＳＩＧＮＩＮＧ  ＴＨＩＲＤ−ＰＡＲＴＹ  ＥＬＥＣＴＲＯＮＩＣ  ＳＩＧＮＡＴＵＲＥ  ＤＯＣＵＭＥＮＴＳ」、及び、２０１２年８月２７日に出願された、米国特許出願第１３／５９５，８７６  「ＭＯＢＩＬＥ  ＳＯＬＵＴＩＯＮ  ＦＯＲ  ＳＩＧＮＩＮＧ  ＡＮＤ  ＲＥＴＡＩＮＩＮＧ  ＴＨＩＲＤ−ＰＡＲＴＹ  ＤＯＣＵＭＥＮＴＳ」を含む、上記で引用されたすべての参考文書は、全体として言及することにより組み込まれている。組み込まれた参考文書における用語の定義又は使用が一致しない、又はここで提示される用途の定義に反している場合、ここで提示される該用語の定義が優先される。
【００５９】
上記のとおり、本発明の好ましい実施形態が図示、記載されているが、本発明の思想及び技術範囲から逸脱することなく多数の変更がなされうる。したがって、本発明の技術範囲は、好ましい実施形態の開示によって限定されるものではない。代わりに、本発明は添付の請求項を参照して決定される。
【図１】
2014535216.tif 000003
【図２Ａ】
2014535216.tif 000004
【図２Ｂ】
2014535216.tif 000005
【図２Ｃ】
2014535216.tif 000006
【図２Ｄ】
2014535216.tif 000007
【図２Ｅ】
2014535216.tif 000008
【図３】
2014535216.tif 000009
【図４】
2014535216.tif 000010
【国際調査報告】
2014535216.tif 000011
2014535216.tif 000012
2014535216.tif 000013